(57)【要約】【課題】軒先構造において、軒樋の吊部からの取外しを容易とし軒樋への雪や落葉等の入り込みを抑制することである。【解決手段】軒先構造２０は、軒樋５０と導水板３０とを備える。軒樋５０は、樋底部５２の両側から前側側壁５４と後側側壁５６とがそれぞれ立設され、後側側壁５６の上端部に係止部６２が設けられる。導水板３０は、軒先の下地である野地板１６に固定されている固定部３２、固定部３２から外側に張り出して軒樋５０に雨水を導く導水部４０、及び、導水部４０に設けられる吊部４６を有する。軒樋５０は、後側側壁５６が建物の側面に当接して配置され、かつ、係止部６２が導水板３０の吊部４６に吊り下げられて取り付けられており、導水板３０は、固定部３２に対して導水部４０が回転可能である。【選択図】図３
2019157586.tif 000002
【特許請求の範囲】
【請求項１】
樋底部の両側から前側側壁と後側側壁とがそれぞれ立設され、前記後側側壁の上端部に係止部が設けられている軒樋と、
軒先の下地に固定されている固定部、前記固定部から外側に張り出して前記軒樋に雨水を導く導水部、及び、前記導水部に設けられる吊部を有する導水板と、
を備え、
前記軒樋は、前記後側側壁が建物の側面に当接して配置され、かつ、前記係止部が前記導水板の前記吊部に吊り下げられて取り付けられており、
前記導水板は、前記固定部に対して前記導水部が回転可能である、軒先構造。
【請求項２】
前記導水部は、
前記固定部から下側に所定角度で傾斜して外側に所定の張出長さで張り出す張出部を形成し、前記張出部の先端側から建物側に戻るように曲がり、建物側の先端部が上側に突出して前記吊部が形成されている、請求項１に記載の軒先構造。
【請求項３】
前記導水部の前記張出長さは、雨水受長さの分を残して、前記軒樋が前記吊部に吊下げられた状態における前記後側側壁の上端部及び前記前側側壁の間の上部開口を覆っている、請求項２に記載の軒先構造。
【請求項４】
前記導水部は、
前記固定部から下側に所定角度で傾斜して外側に所定の張出長さで張り出す張出部を形成し、前記張出部の先端側から建物側に戻るように曲がり、建物側の先端部が上側に突出して前記吊部が形成され、さらに、前記張出部の先端側から外側に延びる前板部を有し、前記前板部の先端部が上側に突出して前側吊部が形成され、前記前板部には、複数の水抜き穴が設けられており、
前記軒樋は、前記前側側壁の上端部に前側係止部が設けられている、請求項１に記載の軒先構造。
【発明の詳細な説明】
【技術分野】
【０００１】
本開示は、軒先構造に係り、特に、軒樋を取り付ける軒先構造に関する。
【背景技術】
【０００２】
建物の軒先には、屋根に降った雨水を集めて排水するための軒樋が設けられる。また、軒先に沿って長く延びる軒樋を取り付けるために複数の吊具が設けられる。また、外部から建物に吹き寄せる雨水等から外壁等を保護するための水切板が設けられる。
【０００３】
特許文献１には、軒樋の取付構造として、平坦な底部の両側部から後側側壁と前側側壁とが立設された軒樋と、長さが軒樋の長手方向のほぼ全長に亘る長尺の板で形成された１つの吊具が述べられている。ここで、軒樋の後側側壁の上端部には内側に巻き込むように断面円弧状の後側係止片が形成される。また、吊具の長尺の板は平坦な部分が固定部として軒先の下地である野地板に固定され、野地板から突出した前端部には下方に巻き込むように断面円弧上の吊部が形成される。そして、吊具の吊部に軒樋の後側係止部が吊り下げられ、軒樋の後側側壁が建物の鼻隠し板に沿うように当接して、軒樋が軒先に取り付けられる。
【先行技術文献】
【特許文献】
【０００４】
【特許文献１】特開平２−５８６６５号公報
【発明の概要】
【発明が解決しようとする課題】
【０００５】
軒樋は、雨水を集めるために上側が開放されているので、雪や落葉等が入り込み堆積して排水を妨げることが生じ得る。また、破損等のために軒樋を吊部から取り外す必要が生じ得る。そこで、軒樋の吊部からの取外しが容易で、雪や落葉等の軒樋への入り込みを抑制できる軒先構造が要望される。
【課題を解決するための手段】
【０００６】
本開示に係る軒先構造は、樋底部の両側から前側側壁と後側側壁とがそれぞれ立設され、後側側壁の上端部に係止部が設けられている軒樋と、軒先の下地に固定されている固定部、固定部から外側に張り出して軒樋に雨水を導く導水部、及び、導水部に設けられる吊部を有する導水板と、を備え、軒樋は、後側側壁が建物の側面に当接して配置され、かつ、係止部が導水板の吊部に吊り下げられて取り付けられており、導水板は、固定部に対して導水部が回転可能である。
【０００７】
上記構成によれば、導水板は、固定部から外側に張り出した導水部が固定部に対して回転可能であるので、軒樋を吊部から容易に取り外すことができる。また、軒先の下地に固定されている固定部よりも導水部は外側に張り出しているので、張出長さを適切に決定することで、吊部に吊り下げられた状態の軒樋の上部開口を適度に覆うことができるので、雪や落葉等の軒樋への入り込みを抑制できる。
【発明の効果】
【０００８】
上記構成の軒先構造によれば、軒樋の吊部からの取外しが容易で、雪や落葉等の軒樋への入り込みを抑制できる。
【図面の簡単な説明】
【０００９】
【図１】実施の形態に係る軒先構造を有する建物の例の斜視図である。
【図２】図１の軒先構造の分解図である。
【図３】図１のＩＩＩ部について、軒樋の長手方向に垂直な断面図である。
【図４】図３のＩＶ部の拡大図である。
【図５】他の実施形態に係る軒先構造の分解図である。
【図６】図５について、軒樋の長手方向に垂直な断面図である。
【図７】図６のＶＩＩ部の拡大図である。
【発明を実施するための形態】
【００１０】
以下に図面を用いて、本開示の実施の形態を詳細に説明する。以下で述べる材質、長さ、角度等は、説明のための例示であって、軒先構造の仕様等に応じて適宜変更が可能である。以下では、全ての図面において対応する要素には同一の符号を付し、重複する説明を省略する。
【００１１】
図１は、軒先構造２０を有する建物１０の斜視図である。軒先構造２０は、降雨によって屋根１２の斜面に沿って下方側に流れて来る雨水を軒先１４の外側で受け止める導水板３０と、導水板３０によって導かれた雨水を集める軒樋５０と、を含む軒樋取付構造である。導水板３０も、軒樋５０も、軒先１４に沿って延出する。
【００１２】
図１において、軒先構造２０における直交する三方向として、長手方向、上下方向、幅方向を示す。長手方向は、軒樋５０が延出する方向である。上下方向は、雨水が落下する重力方向に平行な方向で、建物１０が建つ地面８に向かう方向が下側で、反対側の上空側が上側である。幅方向は、長手方向と上下方向とに垂直な方向で、軒樋５０が軒先１４に取付けられた状態における軒樋５０の幅方向である。幅方向の両方向を区別する場合は、建物１０の側に向かう方向が建物側で、建物１０から離れる方向が外側である。以下の図においても同様である。
【００１３】
図２は、図１の軒先構造２０の分解図である。導水板３０は、屋根１２における屋根材１３の下面における軒先１４の下地に固定された固定部３２と、固定部３２から屋根材１３よりも外側に張り出して屋根１２から流れて来る雨水を軒樋５０に導く導水部４０とを有する。導水部４０は、固定部３２から下側に傾斜して張り出す張出部４２と、張出部４２の張り出した先端側から建物側に戻るように曲がった戻り部４４と、戻り部４４の建物側の先端部が上側に突出す吊部４６とを含む複合折曲部である。
【００１４】
軒樋５０は、樋底部５２の両側から前側側壁５４と後側側壁５６とがそれぞれ立設され、後側側壁５６の上端部には係止部６２が設けられる。軒樋５０が係止部６２を介して吊部４６に吊り下げられた状態では、軒樋５０の前側側壁５４は、外側を向く側壁であり、後側側壁５６は、建物側を向く側壁である。後側側壁５６は、樋底部５２にほぼ垂直に上側に立設し、前側側壁５４は、樋底部５２から外側に傾斜して上側に立設する。前側側壁５４の上端部と後側側壁５６の上端部との間が、単体としての軒樋５０の上部開口である。上部開口の幅方向の長さＬ０は、樋底部５２の幅方向の長さより長い。これは説明のための例示であって、軒樋５０の仕様によっては、前側側壁５４の樋底部５２からほぼ垂直に立設するものとしてもよい。その場合には、単体としての軒樋５０の上部開口の幅方向の長さＬ０は、樋底部５２の幅方向の長さと同じになる。
【００１５】
かかる導水板３０及び軒樋５０は、ガルバニウム鋼板を所定の形状に成形したものが用いられる。これに代えて、塩化ビニール樹脂等の合成樹脂を射出成形によって所定の形状としたものを用いてもよく、アルミニウム合金やステンレス鋼材を所定の形状に成形したものを用いてもよい。導水板３０と軒樋５０を同じ材質としてもよく、互いに別の材質としてもよい。
【００１６】
図３は、図１のＩＩＩ部について、長手方向に垂直な断面図を用いて、軒樋５０が係止部６２を介して導水板３０の吊部４６に吊り下げられ取り付けられている軒先構造２０を示す図である。図４は、図３のＩＶ部の拡大図である。図３に、軒先構造２０に関連する建物１０の構成要素として、屋根１２の屋根材１３の下地である野地板１６と、軒樋５０の後側側壁５６が当接する鼻隠し板１８とを示す。屋根材１３は、瓦である。瓦は、説明のための例示であって、建物１０の仕様に応じ、適宜変更される。例えば、瓦に代えて、ガルバニウム鋼板ユニットを用いてもよい。野地板１６の上に敷設される複数の屋根材１３の内で、最も外側に配置される屋根材１３は、野地板１６の外側の先端よりもさらに外側に突出する。図３では、野地板１６の先端よりも外側に突出する屋根材１３の先端を、軒先１４として示す。
【００１７】
導水板３０は、長手方向に軒先１４のほぼ全長にわたって延伸する。導水板３０の固定部３２は、長手方向の全長に沿って適当な間隔で、複数のねじ止め等の固定手段で野地板１６に固定される。導水板３０は、軒先１４近傍において、平坦な部分である固定部３２から複合折曲部である導水部４０となる。
【００１８】
導水部４０は、軒先１４近傍の折曲位置４１から下側に所定角度で傾斜して張り出す張出部４２となる。張出部４２の上下方向に対する所定の傾斜角度は約３０度から６０度の範囲の角度で、一例をあげると、約４５度である。これは説明のための例示であって、軒先構造２０の仕様に応じ適宜変更される。軒樋５０の後側側壁５６が当接する鼻隠し板１８の幅方向に沿った位置を基準として、張出部４２の張出長さＬ１は、単体としての軒樋５０の上部開口の幅方向の長さＬ０よりも短く決定される。すなわち、張出部４２は、軒樋５０の上部開口の幅方向の長さＬ０のうち、張出長さＬ１の部分を覆う。覆い率＝（Ｌ１／Ｌ０）×１００（％）は、約５０％から９０％の範囲で、一例をあげると、約８０％である。これは説明のための例示であって、軒先構造２０の仕様に応じ適宜変更される。｛（単体としての軒樋５０の上部開口の幅方向の長さＬ０）−（張出部４２の張出長さＬ１）｝＝Ｌ２は、張出部４２の斜面を伝って流れてくる雨水を受ける開口の幅方向に沿った長さであるので、これを雨水受長さＬ２と呼ぶことができる。
【００１９】
張出部４２は、先端の折曲位置４３から、建物側に戻るように曲がった戻り部４４となる。戻り部４４は、折曲位置４３からほぼ水平方向に曲がる。これは説明のための例示であって、軒先構造２０の仕様に応じ、水平方向から上側または下側に適当に傾斜してもよい。戻り部４４の幅方向に沿った長さは、張出長さＬ１より短く決定される。
【００２０】
戻り部４４は、鼻隠し板１８の外側側壁１９の手前の折曲位置４５で、上下方向にほぼ平行に上側に曲がって突き出す吊部４６となる。吊部４６の上下方向に沿った長さは、軒樋５０の係止部６２を吊り下げる観点と、取り外す観点の双方から決定される。一例をあげると、数ｃｍ程度の長さである。これは説明のための例示であって、軒先構造２０の仕様に応じ適宜変更される。
【００２１】
導水板３０の吊部４６に吊り下げられた状態の軒樋５０は、樋底部５２の両側の折曲位置５３，５５のうち、外側の折曲位置５３からは外側に傾斜して上側に延伸する前側側壁５４となる。樋底部５２の上下方向に沿った高さ位置から測って、前側側壁５４の上端５１の高さ位置Ｈ１は、導水板３０における張出部４２の先端の折曲位置４３の高さ位置Ｈ２よりも高い。換言すれば、前側側壁５４の上端５１は、張出部４２の先端の折曲位置４３よりも外側で、かつ上側にある。これにより、張出部４２を流れ落ちてくる雨水は、軒樋５０の外側に流れ落ちることがなく、雨水受け長さＬ２の上部開口から軒樋５０の内部に注がれ、樋底部５２に達する。雨水受け長さＬ２を適切に決定することで、外部からの雪、落葉、異物等が軒樋５０の内部に入り込んで堆積することを抑制できる。
【００２２】
樋底部５２の両側の折曲位置５３，５５のうち、建物側の折曲位置５５からは、上下方向に平行に立ち上がって延伸する後側側壁５６となる。後側側壁５６は、上端の折曲位置５７において外側に曲がり、係止上面部５８となり、係止上面部５８は、折曲位置５９で下側に曲がって係止側面部６０となる。係止側面部６０の上下方向に沿った長さは、導水部４０の吊部４６の上下方向に沿った長さよりも短い。係止上面部５８と係止側面部６０は、後側側壁５６と協働して、吊部４６を建物側、上側、及び、外側から囲む形状の係止部６２を形成する。
【００２３】
軒樋５０の係止部６２が導水板３０の吊部４６に係止されることで、軒樋５０は、導水板３０の吊部４６によって吊り下げられる。その状態で、軒樋５０の後側側壁５６は、建物１０の最も外側である鼻隠し板１８の外側側壁１９に当接して固定される。これにより、軒樋５０は、導水板３０によって吊り下げられ取り付けられる。当接して固定とは、鼻隠し板１８の外側側壁１９に対し軒樋５０の後側側壁５６が動かない状態であればよい。軒樋５０の後側側壁５６が鼻隠し板１８の外側側壁１９に密接している状態でもよく、ねじ止め等で、軒樋５０の後側側壁５６を鼻隠し板１８に機械的に固定してもよい。
【００２４】
軒樋５０が導水板３０の吊部４６によって吊り下げられ取り付けられている状態から、交換等のために、軒樋５０を吊部４６から取り外すには、固定部３２に対し導水部４０を回転させる。軒樋５０の後側側壁５６が鼻隠し板１８にねじ止め等で固定されている場合には、ねじ止め等を外してから、固定部３２に対し導水部４０を回転させる。図３で、固定部３２に対し導水部４０が回転角度Δθで回転する状態を二点鎖線で示す。
【００２５】
固定部３２に対し導水部４０が回転可能であるのは、導水板３０の全体は、野地板１６に固定される固定部３２と、固定部３２から外側に配置される導水部４０とを含むが、導水部４０は、固定部３２を固定端とする片持ち梁として作用するからである。すなわち、導水部４０は、固定部３２側の折曲位置４１から戻り部４４側の折曲位置４３までの長さを有する片持ち梁の弾性によって、作業者が折曲位置４３を保持して上方側に持ち上げて、回転角度Δθで回転させることができる。この回転によって、吊部４６が下方かつ外側に移動し、これに伴い、軒樋５０の後側側壁５６が鼻隠し板１８の外側側壁１９から離れる。その状態で、軒樋５０の係止部６２を吊部４６から外すことができ、軒樋５０を吊部４６から取り外すことができる。
【００２６】
上記構成の軒先構造２０によれば、軒樋５０は、導水板３０における建物側の吊部４６に吊り下げ取り付けられる。導水板３０の導水部４０における張出部４２は、屋根１２からの雨水を軒樋５０に導く導水作用とともに、外部から建物１０に吹き寄せる雨水等から外壁等を保護するための水切板としての作用を有する。また、張出部４２の張出長さＬ１を軒樋５０の上部開口の幅方向の長さＬ０に対し適切に決定することで、雨水受長さＬ２を適切に短くでき、外部からの雪、落葉、異物等が軒樋５０の内部に入り込んで堆積することを抑制できる。また、導水部４０は、固定部３２を固定端とする片持ち梁として作用するので、固定部３２に対し導水部４０を回転角度Δθで回転でき、これによって、軒樋５０は、導水板３０の吊部４６から容易に取り外すことが可能になる。
【００２７】
上記では、軒樋５０は、後側側壁５６において吊り下げられているが、これに加えて、前側側壁５４においても吊り下げられるものとできる。図５から図７を用いて、軒樋が、後側側壁において吊り下げられ、さらに前側側壁においても吊り下げられる軒先構造７０について述べる。
【００２８】
軒先構造７０は、導水板８０と、軒樋１００とを含む軒樋取付構造である。導水板８０は、図３で述べた固定部３２と導水部９０を有する。導水部９０は、図３で述べた吊部４６とは別に、前側吊部９４を有する。軒樋１００は、図３で述べた樋底部５２、後側側壁５６、及び、前側側壁１０２を有する。後側側壁５６には図３で述べた係止部６２が設けられ、前側側壁１０２には、前側係止部１１０が設けられる。
【００２９】
図５は、図２と同様に、軒先構造７０の分解図である。導水板８０は、図２で述べたものと同じ固定部３２と、固定部３２から屋根材１３よりも外側に張り出して屋根１２から流れて来る雨水を軒樋１００に導く導水部９０とを有する。導水部９０は、固定部３２から下側に傾斜して張り出す張出部４２と、張出部４２の張り出した先端側から建物側に戻るように曲がった戻り部４４と、戻り部４４の建物側の先端部が上側に突出する吊部４６とを含む。さらに、張出部４２の張り出した先端側から外側に延びる前板部９２と、前板部９２の先端部が上側に突出する前側吊部９４と、水抜き穴９６とを有する。水抜き穴９６は、長手方向に延びる前板部９２において、適当な間隔で複数個設けられる貫通穴である。水抜き穴９６としては円形穴が用いられる。円形穴に代えて、矩形穴、楕円穴等であってもよい。
【００３０】
軒樋１００は、樋底部５２の両側から前側側壁１０２と後側側壁５６とがそれぞれ立設され、後側側壁５６の上端部には係止部６２が設けられる。軒樋１００が係止部６２を介して吊部４６に吊り下げられた状態では、軒樋１００の前側側壁１０２は、外側を向く側壁であり、後側側壁５６は、建物側を向く側壁である。後側側壁５６は、樋底部５２にほぼ垂直に上側に立設し、前側側壁５４は、樋底部５２から外側に傾斜して上側に立設する。さらに、前側側壁１０２の先端部には、前側係止部１１０が設けられる。軒樋１００は、係止部６２を介して吊部４６に吊り下げられ、さらに、前側係止部１１０を介して前側吊部９４に吊り下げられる。
【００３１】
図６は、図３と同様に、長手方向に垂直な断面図を用いて、軒樋１００が係止部６２及び前側係止部１１０を介して導水板８０の吊部４６及び前側吊部９４に吊り下げられ取り付けられている軒先構造７０を示す図である。図７は、図６のＶＩＩ部の拡大図である。
【００３２】
導水部９０は、軒先１４近傍の折曲位置４１から下側に傾斜して張り出す張出部４２となる。張出部４２は、先端の折曲位置４３から、建物側に戻るように曲がった戻り部４４となる。戻り部４４は、折曲位置４３からほぼ水平方向に曲がる。戻り部４４は、鼻隠し板１８の外側側壁１９の手前の折曲位置４５で、上下方向にほぼ平行に上側に曲がって突き出す吊部４６となる。さらに、張出部４２は、先端の折曲位置４３から、戻り部４４とは反対方向である外側に延びる前板部９２を有する。前板部９２は、軒樋１００の前側側壁１０２の手前の折曲位置９３で、前側側壁１０２の延伸方向とほぼ平行に外側を向き上側に曲がって突き出す前側吊部９４となる。
【００３３】
前板部９２が設けられることで、導水部９０は、軒樋１００の上部開口を全面的に覆うことになる。そこで、屋根１２から流れて来る雨水を軒樋１００に導くために、導水部９０において、前板部９２に、複数の水抜き穴９６が設けられる。前板部９２の先端に設けられる前側吊部９４は、前板部９２よりも上側の高い位置にあり、これに対応して、軒樋１００の前側側壁１０２における前側係止部１１０は前板部９２よりも上側の高い位置にある。前側吊部９４及び前側係止部１１０よりも低い位置の前板部９２に複数の水抜き穴９６が設けられることで、屋根１２から流れて来る雨水は、軒樋１００の外側に流れ落ちることがなく、水抜き穴９６から軒樋１００の内部に注がれ、樋底部５２に達する。図３で述べた軒先構造２０では雨水受け長さＬ２の範囲で雨水等を受けるのに対し、軒先構造７０では、複数の水抜き穴９６で雨水等を受けるので、軒先構造２０に比べ、外部からの雪、落葉、異物等が軒樋１００の内部に入り込んで堆積することが少なくなる。
【００３４】
軒樋１００は、樋底部５２の両側の折曲位置５３，５５のうち、建物側の折曲位置５５からは、上下方向に平行に立ち上がって延伸する後側側壁５６となり、その先端には、係止部６２が設けられる。樋底部５２の両側の折曲位置５３，５５のうち、外側の折曲位置５３からは外側に傾斜して上側に延伸する前側側壁１０２となる。前側側壁１０２は、上端の折曲位置１０３において建物側に曲がり、係止上面部１０４となり、係止上面部１０４は、折曲位置１０５で下側に曲がって係止側面部１０６となる。係止側面部１０６の上下方向に沿った長さは、導水部９０の前側吊部９４の上下方向に沿った長さよりも短い。係止上面部１０４と係止側面部１０６は、前側側壁１０２と協働して、前側吊部９４を外側、上側、及び、建物側から囲む形状の前側係止部１１０を形成する。
【００３５】
軒樋１００は、係止部６２が導水板８０の吊部４６に係止されることで、後側側壁５６において吊り下げられる。さらに、前側係止部１１０が導水板８０の前側吊部９４に係止されることで、前側側壁１０２においても吊り下げられる。これにより、軒先構造７０における軒樋１００は、軒先構造２０における軒樋５０に比較して、導水板８０への吊り下げ取り付けが安定する。
【００３６】
軒樋１００が導水板８０の吊部４６及び前側吊部９４によって吊り下げられ取り付けられている状態から、交換等のために、軒樋１００を取り外すには、固定部３２に対し導水部９０と軒樋１００とを一体として回転させる。軒樋１００の後側側壁５６が鼻隠し板１８にねじ止め等で固定されている場合には、ねじ止め等を外してから、固定部３２に対し導水部９０と軒樋１００とを一体として回転させる。この回転によって、吊部４６が下方かつ外側に移動し、これに伴い、軒樋１００の後側側壁５６が鼻隠し板１８の外側側壁１９から離れる。その状態で、軒樋１００の係止部６２を吊部４６から外すことができ、次いで、軒樋１００の前側係止部１１０を前側吊部９４から外すことで、軒樋１００を導水板８０から取り外すことができる。
【００３７】
軒先構造７０によれば、軒先構造２０に比べ、導水板８０への吊り下げ取り付けが安定し、さらに、外部からの雪、落葉、異物等が軒樋１００の内部に入り込んで堆積することを少なくできる。
【符号の説明】
【００３８】
８  地面、１０  建物、１２  屋根、１３  屋根材、１４  軒先、１６  野地板（下地）、１８  鼻隠し板、１９  外側側壁、２０，７０  軒先構造、３０，８０  導水板、３２  固定部、４０，９０  導水部、４１，４３，４５，５３，５５，５７，５９，９３，１０３，１０５  折曲位置、４２  張出部、４４  戻り部、４６  吊部、５０，１００  軒樋、５１  上端、５２  樋底部、５４，１０２  前側側壁、５６  後側側壁、５８，１０４  係止上面部、６０，１０６  係止側面部、６２  係止部、９２  前板部、９４  前側吊部、９６  水抜き穴、１１０  前側係止部。
【図１】
2019157586.tif 000003
【図２】
2019157586.tif 000004
【図３】
2019157586.tif 000005
【図４】
2019157586.tif 000006
【図５】
2019157586.tif 000007
【図６】
2019157586.tif 000008
【図７】
2019157586.tif 000009